(57)【要約】  本実施形態の映像機器は、映像信号を伝送する映像信号ケーブルが接続される入力コネクタ、または、前記映像信号ケーブルが接続される出力コネクタの少なくとも一方を備え、前記入力コネクタを備える場合、第１抵抗器を備え、  前記出力コネクタを備える場合、第３抵抗器を備え、前記入力コネクタを備える場合、前記入力コネクタに接続される複数の信号線の１つであって、前記入力コネクタが前記映像信号ケーブルを介して他の映像機器と正常に接続されているときに前記他の映像機器が有する第２抵抗器と前記他の映像機器の主電源がオンしている場合に閉成される第１スイッチとを介して第１電位に接続される第１信号線が、前記第１電位と異なる第２電位に前記第１抵抗器を介して接続され、前記出力コネクタを備える場合、前記出力コネクタに接続される複数の信号線の１つであって、前記出力コネクタが前記映像信号ケーブルを介して前記他の映像機器と正常に接続されているときに前記他の映像機器が有する第４抵抗器と前記他の映像機器の主電源がオンしている場合に閉成される第２スイッチとを介して第３電位に接続される第２信号線が、前記第３電位と異なる第４電位に前記第３抵抗器を介して接続され、前記第１信号線の電位または前記第２信号線の電位に基づき前記映像信号ケーブルが正常に接続されているか否かを判定する接続判定部を備える。
2019049232.tif 000002
【特許請求の範囲】
【請求項１】
映像信号を伝送する映像信号ケーブルが接続される入力コネクタ、または、前記映像信号ケーブルが接続される出力コネクタの少なくとも一方を備え、
前記入力コネクタを備える場合、第１抵抗器を備え、
前記出力コネクタを備える場合、第３抵抗器を備え、
前記入力コネクタを備える場合、前記入力コネクタに接続される複数の信号線の１つであって、前記入力コネクタが前記映像信号ケーブルを介して他の映像機器と正常に接続されているときに前記他の映像機器が有する第２抵抗器と前記他の映像機器の主電源がオンしている場合に閉成される第１スイッチとを介して第１電位に接続される第１信号線が、前記第１電位と異なる第２電位に前記第１抵抗器を介して接続され、
前記出力コネクタを備える場合、前記出力コネクタに接続される複数の信号線の１つであって、前記出力コネクタが前記映像信号ケーブルを介して前記他の映像機器と正常に接続されているときに前記他の映像機器が有する第４抵抗器と前記他の映像機器の主電源がオンしている場合に閉成される第２スイッチとを介して第３電位に接続される第２信号線が、前記第３電位と異なる第４電位に前記第３抵抗器を介して接続され、
前記第１信号線の電位または前記第２信号線の電位に基づき前記映像信号ケーブルが正常に接続されているか否かを判定する接続判定部を備える
映像機器。
【請求項２】
前記接続判定部は、前記第１信号線の電位が、前記第１電位と前記第２電位の電位差を前記第１抵抗器と前記第２抵抗器の直列回路で分圧した電位に対応する場合、または、前記第２信号線の電位が、前記第３電位と前記第４電位の電位差を前記第３抵抗器と前記第４抵抗器の直列回路で分圧した電位に対応する場合、前記映像信号ケーブルが正常に接続されていると判定し、前記分圧した電位に対応しない場合に前記映像信号ケーブルが正常に接続されていないと判定する
請求項１に記載の映像機器。
【請求項３】
前記第１抵抗器と前記第２電位間の接続を閉成または開放する第３スイッチであって、自機器の主電源がオンしている場合に閉成されるもの、または、
前記第３抵抗器と前記第４電位間の接続を閉成または開放する第４スイッチであって、自機器の主電源がオンしている場合に閉成されるもの、
をさらに備える請求項１または２に記載の映像機器。
【請求項４】
前記入力コネクタおよび前記出力コネクタがＤＰコネクタである
請求項１から３いずれか１項に記載の映像機器。
【請求項５】
映像信号ケーブルを接続できる入力コネクタ及び出力コネクタを備える映像機器であって、
前記映像機器の主電源がオンである場合に閉じる第１スイッチ及び第２スイッチと、
前記入力コネクタの第１の端子に接続されるとともに、第１抵抗器を介して前記第１スイッチの一方の接点に接続される第１信号線と、
前記第１スイッチの他方の接点に接続される、第１電位の信号線と、
前記出力コネクタの第２の端子に接続されるとともに、第２抵抗器を介して前記第２スイッチの一方の接点に接続される第２信号線と、
前記第２スイッチの他方の接点に接続される、第２電位の信号線と、
前記第１信号線の電位に基づいて前記入力コネクタに映像信号ケーブルが正常に接続されているか否かを判定し、前記第２信号線の電位に基づいて前記出力コネクタに映像信号ケーブルが正常に接続されているか否かを判定する接続判定部と、を備える
映像機器。
【請求項６】
前記接続判定部は、
前記第１信号線の電位が所定の電位である場合、前記入力コネクタに映像信号ケーブルが正常に接続されていると判定し、
前記第２信号線の電位が前記所定の電位である場合、前記出力コネクタに映像信号ケーブルが正常に接続されていると判定する
請求項５に記載の映像機器。
【請求項７】
前記所定の電位は、前記第１電位より低く、前記第２電位よりも高い
請求項６に記載の映像機器。
【請求項８】
前記第１抵抗器の抵抗は、前記第２抵抗器の抵抗よりも大きい
請求項５から７のいずれか１項に記載の映像機器。
【請求項９】
前記第１抵抗はプルアップ抵抗であり、前記第２抵抗はプルダウン抵抗である
請求項５から８のいずれか１項に記載の映像機器。
【請求項１０】
前記第１端子に割り当てられた信号の種類は、前記第２端子に割り当てられた信号の種類と同じである
請求項５から９のいずれか１項に記載の映像機器。
【請求項１１】
前記接続判定部が、前記入力コネクタ及び／又は出力コネクタに映像信号ケーブルが正常に接続されていないと判定した場合、前記映像機器の表示部に所定の画像を表示する
請求項５から１０のいずれか１項に記載の映像機器。
【請求項１２】
映像信号ケーブルを接続できる入力コネクタ及び出力コネクタを備える映像機器における接続判定方法であって、
前記入力コネクタの第１の端子に接続される第１信号線に、第１抵抗器を介して接続されるとともに、第１電位の信号線に接続される第１スイッチを、前記映像機器の主電源がオンである場合に閉じるステップと、
前記出力コネクタの第２の端子に接続される第２信号線に、第２抵抗器を介して接続されるとともに、第２電位の信号線に接続される第２スイッチを、前記映像機器の主電源がオンである場合に閉じるステップと、
前記第１信号線の電位に基づいて前記入力コネクタに映像信号ケーブルが正常に接続されているか否かを判定するステップと、
前記第２信号線の電位に基づいて前記出力コネクタに映像信号ケーブルが正常に接続されているか否かを判定するステップと、を有する
接続判定方法。
【発明の詳細な説明】
【技術分野】
【０００１】
本発明は、映像機器および接続判定方法に関する。
【背景技術】
【０００２】
映像信号のインタフェースの規格の１つであるＤｉｓｐｌａｙＰｏｒｔ（ディスプレイポート）（米国その他の国における商標または登録商標）（以下、ＤＰと称する。）では、複数の映像機器をデイジーチェーン接続することができる。そのため、１台の映像機器が入力用のＤＰコネクタと出力用のＤＰコネクタを備えている場合がある。しかしながら、ＤＰでは、入力用のＤＰコネクタと出力用のＤＰコネクタが同一形状である。そのため、複数の映像機器を映像信号ケーブル（ＤＰケーブル）で接続する際に、映像信号ケーブルを誤ったＤＰコネクタに接続してしまうということが発生する。すなわち、正しくは、出力用のＤＰコネクタと入力用のＤＰコネクタを映像信号ケーブルで接続しなければならないのに、例えば、出力用のＤＰコネクタ同士を接続してしまったり、入力用のＤＰコネクタ同士を接続してしまったりといった誤接続が発生する。【０００３】
特許文献１は、上記の誤接続を検出する電子機器を開示する。特許文献１に記載されている電子機器では、ＤＰにおけるＨＤＰ信号（Ｈｏｔ  Ｐｌｕｇ／Ｕｎｐｌｕｇ  Ｄｅｔｅｃｔ信号）の信号レベルとＡＵＸチャネル（Ａｕｘｉｌｉａｒｙチャネル）を用いた通信の内容との組み合わせに基づき誤接続の有無を検出する。この特許文献１に記載されている電子機器では、誤接続の有無の検出に通信内容を確認する処理を伴うため、一定の時間が掛かってしまうという課題がある。【０００４】
なお、特許文献２には、本発明の実施形態に係る１つの構成要素が示されている。すなわち、特許文献２には、信号線にプルアップ抵抗とプルダウン抵抗の両方を接続する場合に、プルアップ抵抗およびプルダウン抵抗と直列にそれぞれスイッチを設ける構成が示されている。特許文献２に示されている構成において、これらのスイッチは、プルアップ抵抗とプルダウン抵抗を直列接続する場合に、その直列回路に流れる消費電流を抑制するために設けられている。
【先行技術文献】
【特許文献】
【０００５】
【特許文献１】特開２０１４−１６５７３８号公報
【特許文献２】特開２０１７−０４１７０４号公報
【発明の概要】
【発明が解決しようとする課題】
【０００６】
本発明は、上記の事情に鑑みてなされたものであり、簡易な構成で映像信号ケーブルの誤接続の有無を判定することができる映像機器および接続判定方法を提供することを目的とする。
【課題を解決するための手段】
【０００７】
本発明の一態様は、映像信号を伝送する映像信号ケーブルが接続される入力コネクタ、または、前記映像信号ケーブルが接続される出力コネクタの少なくとも一方を備え、前記入力コネクタを備える場合、第１抵抗器を備え、前記出力コネクタを備える場合、第３抵抗器を備え、前記入力コネクタを備える場合、前記入力コネクタに接続される複数の信号線の１つであって、前記入力コネクタが前記映像信号ケーブルを介して他の映像機器と正常に接続されているときに前記他の映像機器が有する第２抵抗器と前記他の映像機器の主電源がオンしている場合に閉成される第１スイッチとを介して第１電位に接続される第１信号線が、前記第１電位と異なる第２電位に前記第１抵抗器を介して接続され、前記出力コネクタを備える場合、前記出力コネクタに接続される複数の信号線の１つであって、前記出力コネクタが前記映像信号ケーブルを介して前記他の映像機器と正常に接続されているときに前記他の映像機器が有する第４抵抗器と前記他の映像機器の主電源がオンしている場合に閉成される第２スイッチとを介して第３電位に接続される第２信号線が、前記第３電位と異なる第４電位に前記第３抵抗器を介して接続され、前記第１信号線の電位または前記第２信号線の電位に基づき前記映像信号ケーブルが正常に接続されているか否かを判定する接続判定部を備える映像機器である。【０００８】
また、本発明の一態様は、映像信号ケーブルを接続できる入力コネクタ及び出力コネクタを備える映像機器であって、前記映像機器の主電源がオンである場合に閉じる第１スイッチ及び第２スイッチと、前記入力コネクタの第１の端子に接続されるとともに、第１抵抗器を介して前記第１スイッチの一方の接点に接続される第１信号線と、前記第１スイッチの他方の接点に接続される、第１電位の信号線と、前記出力コネクタの第２の端子に接続されるとともに、第２抵抗器を介して前記第２スイッチの一方の接点に接続される第２信号線と、前記第２スイッチの他方の接点に接続される、第２電位の信号線と、前記第１信号線の電位に基づいて前記入力コネクタに映像信号ケーブルが正常に接続されているか否かを判定し、前記第２信号線の電位に基づいて前記出力コネクタに映像信号ケーブルが正常に接続されているか否かを判定する接続判定部と、を備える映像機器である。【０００９】
また、本発明の一態様は、映像信号ケーブルを接続できる入力コネクタ及び出力コネクタを備える映像機器における接続判定方法であって、前記入力コネクタの第１の端子に接続される第１信号線に、第１抵抗器を介して接続されるとともに、第１電位の信号線に接続される第１スイッチを、前記映像機器の主電源がオンである場合に閉じるステップと、前記出力コネクタの第２の端子に接続される第２信号線に、第２抵抗器を介して接続されるとともに、第２電位の信号線に接続される第２スイッチを、前記映像機器の主電源がオンである場合に閉じるステップと、前記第１信号線の電位に基づいて前記入力コネクタに映像信号ケーブルが正常に接続されているか否かを判定するステップと、前記第２信号線の電位に基づいて前記出力コネクタに映像信号ケーブルが正常に接続されているか否かを判定するステップと、を有する接続判定方法である。
【発明の効果】
【００１０】
本発明によれば、簡易な構成で映像信号ケーブルの誤接続の有無を判定することができる。
【図面の簡単な説明】
【００１１】
【図１】本発明の一実施形態に係る映像機器の構成例を示すブロック図である。
【図２】図１に示す映像機器１００の動作例を説明するためのブロック図である。
【図３】本発明の一実施形態に係る映像表示システムの構成例を示すブロック図である。
【図４】図３に示す映像表示システム１で映像信号ケーブル２を誤接続した場合の動作例を示すブロック図である。
【図５】図３に示す映像表示システム１で映像信号ケーブル２を誤接続した場合の動作例を示すブロック図である。
【図６】図３に示す映像表示システム１で映像信号ケーブル２を誤接続した場合の動作例を示すブロック図である。
【図７】図３に示す映像表示システム１で映像信号ケーブル２を誤接続した場合の動作例を示すブロック図である。
【図８】図３に示す映像表示システム１で映像信号ケーブル２を誤接続した場合の動作例を示すブロック図である。
【図９】図３に示す映像表示システム１で映像信号ケーブル２を誤接続した場合の動作例を示すブロック図である。
【図１０】図３に示す映像表示システム１で映像信号ケーブル２を誤接続した場合の動作例を示すブロック図である。
【図１１】図３に示す映像表示システム１で映像信号ケーブル２を誤接続した場合の動作例を示すブロック図である。
【図１２】図３に示す映像機器１０１の動作例を示すフローチャートである。
【図１３】図３に示す映像機器１０１の動作例をまとめて示す図である。
【図１４】本発明の一実施形態に係る映像表示システムの基本的構成例を示すブロック図である。
【図１５】ＤＰコネクタのピン配列と映像信号ケーブル内の結線状態を示す模式図である。
【図１６】ＡＵＸチャネルの入出力回路の構成例を示す回路図である。
【発明を実施するための形態】
【００１２】
以下、図面を参照して本発明の実施形態について説明する。図１は、本発明の一実施形態に係る映像機器の構成例を示すブロック図である。図１に示す映像機器１００は、検出部１０と、スケーラー２０と、ＤＰコネクタ３０と、プルダウン抵抗３１と、スイッチ３２と、ＤＰコネクタ４０と、プルアップ抵抗４１と、スイッチ４２と、映像再生部５０と、映像表示部６０と、電源部７０とを備える。
【００１３】
検出部１０は、接続判定部１１を有する。接続判定部１１は、例えば、電子回路等のハードウェアまたは電子回路、ＣＰＵ（中央処理装置）等のハードウェアとＣＰＵ等が実行するソフトウェア（プログラム）の組み合わせから構成することができる。接続判定部１１は、入力端子１１１と入力端子１１２を有する。入力端子１１１は、信号線３３に接続されている。この信号線３３は、ＤＰコネクタ３０が有する複数のピン（端子）の１つであるＡＵＸ＿ＣＨ（Ｐ）ピンに接続されている。入力端子１１２は、信号線４３に接続されている。この信号線４３は、ＤＰコネクタ４０が有する複数のピンの１つであるＡＵＸ＿ＣＨ（Ｐ）ピンに接続されている。接続判定部１１は、例えば、入力端子１１１の電位に基づいてＤＰコネクタ３０に対して映像信号ケーブルおよび他の映像機器１００が正常に接続されているか否かを判定する。また、接続判定部１１は、例えば、入力端子１１２の電位に基づいてＤＰコネクタ４０に対して映像信号ケーブルおよび他の映像機器１００が正常に接続されているか否かを判定する。接続判定部１１は、判定結果を示す情報（例えば誤接続が検出された場合にはその旨を示す情報）を映像表示部６０で表示したり、所定の表示灯を点灯させたり点滅させたりして報知したり、報知音を出力することで報知したりする。
【００１４】
なお、本実施形態において、誤接続とは、接続の正誤を判定する映像機器１００が、他の映像機器１００と正常に接続されていないことを意味する。すなわち、本実施形態における誤接続は、例えば、映像信号ケーブルが正しいＤＰコネクタに接続されていない場合、映像信号ケーブルの接続先の他の映像機器１００が存在しない場合、映像信号ケーブルの接続先の他の映像機器１００の電源（主電源）がオンしていない場合等を含む。なお、接続判定部１１の判定の仕方の詳細については後述する。
【００１５】
また、信号線３３には、プルダウン抵抗３１の一端が接続されている。プルダウン抵抗３１の他端はスイッチ３２の接点の一端に接続されている。スイッチ３２の接点の他端はグランドに接続されている。信号線３３はプルダウン抵抗３１を介してグランド電位にプルダウンされる。プルダウン抵抗３１の公称抵抗値は例えば１００ｋΩである。スイッチ３２は、例えば接点をメーク接点（ａ接点）とするリレーであり、ＥＮ端子に所定の電圧ＶＥＮが印加された場合に接点をオンし、ＥＮ端子に例えば０Ｖが印加された場合に接点をオフする。ただし、スイッチ３２は、リレーに限定されず、バイポーラトランジスタやＦＥＴ（電界効果トランジスタ）を用いて接点（開閉部）を構成したものであってもよい。なお、スイッチ３２は、プルダウン抵抗３１と信号線３３との間に設けられていてもよい。この場合、プルダウン抵抗３１の一方の端子はグランドに直接接続される。ＥＮ端子に印加される電圧は、映像機器１００の主電源がオンされているときに電圧ＶＥＮとなり、映像機器１００の主電源がオフされているときに例えば０Ｖとなる。映像機器１００の主電源とは、例えば、スケーラー２０、映像再生部５０、映像表示部６０等に対して、それらが映像信号を処理するための所定の電力を供給する電源である。例えば、主電源がオンしている場合に映像信号の処理を行うことができるようになり、主電源がオフしている場合には映像信号に対する一部または全部の処理ができなくなる。主電源がオフしている場合、映像機器１００は例えば待機状態となり、一部の機能のみが有効となる。この構成では、スイッチ３２は、プルダウン抵抗３１とプルダウン電位（この場合、グランド電位）間の接続を閉成（オン）または開放（オフ）する接点として機能し、映像機器１００の主電源がオンしている場合に接点をオン（閉成）する。スイッチ３２の接点がオンしている場合、信号線３３はプルダウン抵抗３１を介してプルダウンされ、スイッチ３２の接点がオフしている場合、信号線３３はプルダウンされない。
【００１６】
他方、信号線４３はプルアップ抵抗４１の一端に接続されている。プルアップ抵抗４１の他端はスイッチ４２の接点の一端に接続されている。スイッチ４２の接点の他端にはプルアップ電位が印加されている（例えば２．５Ｖ〜３．３Ｖの電源線が接続されている（以下ではプルアップ電圧が３．３Ｖであるとする。））。信号線４３は、プルアップ抵抗４１を介して３．３Ｖの電源電圧にプルアップされる。プルアップ抵抗４１の公称抵抗値は例えば１ＭΩである。スイッチ４２は、例えば接点をメーク接点（ａ接点）とするリレーであり、ＥＮ端子に所定の電圧ＶＥＮが印加された場合に接点をオンし、ＥＮ端子に例えば０Ｖが印加された場合に接点をオフする。ただし、スイッチ４２は、リレーに限定されず、バイポーラトランジスタやＦＥＴを用いて接点（開閉部）を構成するものとしてもよい。なお、スイッチ４２は、プルアップ抵抗４１と信号線４３との間に設けられていてもよい。この場合、プルアップ抵抗４１の一方の端子は３．３Ｖの電源線に直接接続される。スイッチ４２のＥＮ端子に印加される電圧は、スイッチ３２のＥＮ端子に印加される電圧と同一である。この場合、スイッチ４２は、プルアップ抵抗４１とプルアップ電位（３．３Ｖの電源電圧）間の接続を閉成（オン）または開放（オフ）する接点として機能し、映像機器１００の主電源がオンしている場合に接点をオン（閉成）する。スイッチ４２の接点がオンしている場合、信号線４３はプルアップ抵抗４１を介してプルアップされ、スイッチ４２の接点がオフしている場合、信号線４３はプルアップされない。
【００１７】
スケーラー２０は、ＤＰ出力部２１とＤＰ入力部２２を有し、例えば、ＤＰコネクタ４０から入力された映像信号をＤＰ入力部２２によって受信し、映像信号の形式や解像度を変換して、映像表示部６０へ出力する。あるいは、スケーラー２０は、映像再生部５０から入力された映像信号の解像度や形式を変換してＤＰ出力部２１からＤＰコネクタ３０を介して他の映像機器へ出力する。あるいは、スケーラー２０は、ＤＰコネクタ４０を介してＤＰ入力部２２から入力された映像信号を、ＤＰ出力部２１からＤＰコネクタ３０を介して他の映像機器へ出力する。ＤＰ出力部２１は、例えば、メインリンクとして他の映像機器へ出力する映像信号（ビデオ信号あるいはビデオ信号とオーディオ信号等）を所定のアイソクロナスストリームに変換して送信したり、ＡＵＸチャネルを用いてコマンドやデータを送受信したり、他の映像機器からＨＰＤ信号を受信したりする。ＤＰ入力部２２は、例えば、メインリンクとして他の映像機器が送信したアイソクロナスストリームを受信して、所定形式の映像信号に変換したり、ＡＵＸチャネルを用いてコマンドやデータを送受信したり、ＨＰＤ信号を送信したりする。
【００１８】
ＤＰコネクタ３０およびＤＰコネクタ４０は不図示の映像信号ケーブル（ＤＰケーブル）の接続部である。ＤＰコネクタ３０が出力側（ソース側）の接続部である。またＤＰコネクタ４０が入力側（シンク側）の接続部である。
【００１９】
ここで、図１５を参照して、ＤＰコネクタ３０とＤＰコネクタ４０のピン配列、ＤＰコネクタ３０と他の映像機器のＤＰコネクタ４０の間を接続する映像信号ケーブル内の結線について説明する。ＤＰコネクタ３０とＤＰコネクタ４０は、２０個のピンを有する。ＤＰコネクタ３０およびＤＰコネクタ４０では、ピン番号１から１２までがメインリンクまたはグランド（ＧＮＤ）に割り当てられている。メインリンクは、４組のメインレーンと呼ばれるＡＣ（交流）結合で二重終端の差動対（ＭａｉｎＬａｎｅ０〜３（Ｐ）および（Ｎ））から構成されている。ただし、ＤＰコネクタ３０およびＤＰコネクタ４０では、各レーンに割り当てられたピン番号が異なる。そのため、異なるピン番号間が接続されるように、映像信号ケーブル内で各信号線が結線されている。例えば、ＤＰコネクタ３０（出力）のピン番号１（ピン名称：ＭａｉｎＬａｎｅ０（Ｐ））と、ＤＰコネクタ４０（入力）のピン番号１２（ピン名称：ＭａｉｎＬａｎｅ０（Ｐ））が接続されるように、映像信号ケーブル内で信号線が結線されている。
【００２０】
また、ＤＰコネクタ３０およびＤＰコネクタ４０では、ピン番号１５から１７までがＡＵＸチャネルとグランド（ＧＮＤ）に割り当てられている。ピン番号１５（ピン名称：ＡＵＸ＿ＣＨ（Ｐ））とピン番号１７（ピン名称：ＡＵＸ＿ＣＨ（Ｎ）がＡＵＸチャネルの差動対の信号線に接続される。ＡＵＸチャネルでは半二重通信が行われる。
【００２１】
また、ＤＰコネクタ３０およびＤＰコネクタ４０では、ピン番号１８（ピン名称：Ｈｏｔ＿Ｐｌｕｇ＿Ｄｅｔｅｃｔ）がＨＰＤ信号に割り当てられている。
【００２２】
なお、ピン番号１３（ピン名称：ＣＯＮＦＩＧ１）とピン番号１４（ピン名称：ＣＯＮＦＩＧ２）は現状、プルダウン抵抗を介してグランドに接続される。また、ピン番号２０（ピン名称：ＤＰ  ＰＷＲ）は、電源供給ピンであり、ピン番号１９（ピン名称：Ｒｅｔｕｒｎ  ＤＰ  ＰＷＲ）は、供給された電源の戻りピンである。
【００２３】
次に、図１６を参照して、図１に示すＤＰ出力部２１内のＡＵＸチャネル信号の送受信回路１１０と、ＤＰ入力部２２内のＡＵＸチャネル信号の送受信回路１２０の構成例について説明する。図１６は、ある映像機器１００におけるＤＰ出力部２１内のＡＵＸチャネル信号の送受信回路１１０と、他の映像機器１００におけるＤＰ入力部２２内のＡＵＸチャネル信号の送受信回路１２０を、ＤＰコネクタ３０、映像信号ケーブルおよびＤＰコネクタ４０を介して接続した状態を示す。図１６において、図１に示すものと同一の構成には同一の参照符号を付けている。ただし、図１６では、図１に示すスイッチ３２とスイッチ４２は図示されていない。
【００２４】
図１６に示す例では、ＤＰ出力部２１内の送受信回路１１０が、送信部２１１、受信部２１２、終端抵抗２１３、終端抵抗２１４、ＡＣ結合キャパシタ２１５、およびＡＣ結合キャパシタ２１６を備える。送信部２１１は、８ビットのパラレル信号を入力してシリアル信号に変換し、差動対信号として送信する。受信部２１２は、シリアル信号を差動対信号として受信し、８ビットのパラレル信号に変換して出力する。
【００２５】
差動対信号を伝送する１対の信号線は、終端抵抗２１３と終端抵抗２１４を介してバイアス電源Ｖｂｉａｓに終端される。終端抵抗２１３と終端抵抗２１４の抵抗値は例えば５０Ωである。また、差動対信号を伝送する１対の信号線は、ＡＣ結合キャパシタ２１５とＡＣ結合キャパシタ２１６の各一端に接続される。ＡＣ結合キャパシタ２１５とＡＣ結合キャパシタ２１６の各他端は、ＡＵＸ＿ＣＨ（Ｐ）ピンとＡＵＸ＿ＣＨ（Ｎ）ピンに接続されている。ＡＵＸ＿ＣＨ（Ｐ）ピンはプルダウン抵抗３１を介してグランド電位にプルダウンされ、ＡＵＸ＿ＣＨ（Ｎ）ピンはプルアップ抵抗３４を介して３．３Ｖの電源電圧にプルアップされている。プルアップ抵抗３４の抵抗値は、プルダウン抵抗３１と同一であり、例えば１００ｋΩである。
【００２６】
一方、ＤＰ入力部２２内の送受信回路１２０は、送信部２２１、受信部２２２、終端抵抗２２３、終端抵抗２２４、ＡＣ結合キャパシタ２２５、およびＡＣ結合キャパシタ２２６を備える。送信部２２１は、８ビットのパラレル信号を入力してシリアル信号に変換し、差動対信号として送信する。受信部２２２は、シリアル信号を差動対信号として受信し、８ビットのパラレル信号に変換して出力する。
【００２７】
差動対信号を伝送する１対の信号線は、終端抵抗２２３と終端抵抗２２４を介してバイアス電源Ｖｂｉａｓに終端される。終端抵抗２２３と終端抵抗２２４の抵抗値は例えば５０Ωである。また、差動対信号を伝送する１対の信号線は、ＡＣ結合キャパシタ２２５とＡＣ結合キャパシタ２２６の各一端に接続される。ＡＣ結合キャパシタ２２５とＡＣ結合キャパシタ２２６の各他端は、ＡＵＸ＿ＣＨ（Ｐ）ピンとＡＵＸ＿ＣＨ（Ｎ）ピンに接続されている。ＡＵＸ＿ＣＨ（Ｐ）ピンはプルアップ抵抗４１を介して３．３Ｖの電源電圧にプルアップされ、ＡＵＸ＿ＣＨ（Ｎ）ピンはプルダウン抵抗４４を介してグランド電位にプルダウンされている。プルダウン抵抗４４の抵抗値は、プルアップ抵抗４１と同一であり、例えば１ＭｋΩである。
【００２８】
一方、図１に示す映像再生部５０は、記憶装置、記録媒体、通信媒体等から読み込んだ映像信号を、所定の形式の映像信号に変換して、映像表示部６０やスケーラー２０へ出力する。また、映像表示部６０は、映像再生部５０やスケーラー２０から入力した映像信号に基づく映像を、映像表示部６０が有する表示画面に表示したり、映像表示部６０が有するプロジェクタによって投射したりする。
【００２９】
また、電源部７０は、商用電源等を入力して映像機器１００内の各部に供給される所定の電圧の電源を生成する。電源部７０が各部に供給する電源は、映像機器１００の動作時にオンし、映像機器１００の停止時あるいは待機時にオフする主電源と、主電源がオフしたときでもオフしない電源とを含む。また、電源部７０は、スイッチ３２およびスイッチ４２の各ＥＮ端子に入力される信号を出力する。電源部７０は、映像機器１００の主電源をオンしている場合にスイッチ３２およびスイッチ４２の各ＥＮ端子に電圧ＶＥＮを印加し（図１参照）、主電源がオフしている場合に各ＥＮ端子に例えば０Ｖを印加する（図２参照）。ただし、各ＥＮ端子に入力する信号は、電源部７０に代えて、映像機器１００内の各部を制御する図示していない制御部等で生成してもよい。
【００３０】
なお、本実施形態において映像機器とは、映像信号を処理する機器であって、映像信号を入出力したり、入力したり、出力したりする機器である。また、映像信号の処理は、映像信号の表示、再生、記録、変換、それらの組み合わせ等の処理を含む。したがって、本実施形態の映像機器１００は、例えば、映像再生部５０と映像表示部６０のいずれか一方あるいは両方を備えていなくてもよい。また、映像機器１００は、ＤＰコネクタ３０とＤＰコネクタ４０のいずれか一方を備えていなくてもよい。
【００３１】
次に、図３から図１３を参照して、図１に示す映像機器１００に、映像信号ケーブルを介して他の映像機器１００を接続したり、映像信号ケーブルのみを接続したりする場合の各映像機器１００の動作例について説明する。
【００３２】
図３は、本発明の一実施形態に係る映像表示システム１を示すブロック図である。図３に示す映像表示システム１は、映像機器１０１と映像機器１０２と映像信号ケーブル２を備える。映像機器１０１および映像機器１０２は、図１に示す映像機器１００と同一構成である。ただし、図３では、図１に示す映像再生部５０、映像表示部６０および電源部７０の図示を省略している。図３に示す映像表示システム１では、映像機器１０１が映像信号の出力側であり、映像機器１０２が映像信号の入力側である。この場合、映像表示システム１では、図３に示すように、映像機器１０１のＤＰコネクタ３０（出力）と映像機器１０２のＤＰコネクタ４０（入力）を映像信号ケーブル２で接続することが正しい接続である。また、図３に示す例では、映像機器１０１の主電源と映像機器１０２の主電源はともにオンである。また、プルダウン抵抗３１の抵抗値は１００ｋΩ、プルアップ抵抗４１の抵抗値は１ＭΩ、そして、プルアップ電圧（グランド電位とプルアップ電位の電位差）は３．３Ｖである。
【００３３】
図３に示す例では、映像機器１０１のＤＰコネクタ３０のＡＵＸ＿ＣＨ（Ｐ）ピンと、映像機器１０２のＤＰコネクタ４０のＡＵＸ＿ＣＨ（Ｐ）ピンが、映像信号ケーブル２の信号線２０１を介して接続される。この場合、映像機器１０１の信号線３３と映像機器１０２の信号線４３が接続される。また、映像機器１０１と映像機器１０２においてスイッチ３２の接点とスイッチ４２の接点はともにオン（短絡）である。したがって、映像機器１０１の接続判定部１１の入力端子１１１の電圧と映像機器１０２の接続判定部１１の入力端子１１２の電圧は、プルアップ抵抗４１とプルダウン抵抗３１の分圧電圧３００ｍＶ＝３．３Ｖ×１００ｋΩ／（１００ｋΩ＋１ＭΩ）となる。なお、映像機器１０１の接続判定部１１の入力端子１１２の電圧は３．３Ｖであり、映像機器１０２の接続判定部１１の入力端子１１１の電圧は０Ｖである。
【００３４】
映像表示システム１では、図３に示すように映像機器１０１と映像機器１０２が映像信号ケーブルで正しく接続されている場合、映像機器１０１の接続判定部１１の入力端子１１１の電圧は３００ｍＶとなる。一方、後述するように接続が正しくない場合、映像機器１０１の接続判定部１１の入力端子１１１の電圧は、０Ｖとなる。よって、映像機器１０１の接続判定部１１は、入力端子１１１の電圧が０Ｖのとき誤接続が発生していると判定することができ、入力端子１１１の電圧が３００ｍＶのとき正しい接続であると判定することができる。ただし、ＤＰでは、プルアップ電圧は、２．５Ｖ〜３．３Ｖと規定されている。また、プルダウン抵抗３１の抵抗値は１０ｋΩから１０５ｋΩまでである。この場合、正常な接続の場合、映像機器１０１の接続判定部１１の入力端子１１１の電圧は、例えば、２３．６ｍＶ〜３２８ｍＶの値となる。したがって、接続判定部１１は、ＡＵＸ＿ＣＨ（Ｐ）ピンの電圧が一定の範囲内にある場合に接続が正常であると判定することができ、範囲外の場合に誤接続状態であると判定することができる。
【００３５】
次に、図４を参照して、図３を参照して説明した映像表示システム１において、映像信号ケーブル２を誤接続した場合の例について説明する。図４に示す例は、映像機器１０１を出力側とし（図５〜図１１に示す例において同じ。）、映像機器１０２を入力側とし（図５〜図９に示す例において同じ。）、映像機器１０１のＤＰコネクタ３０（出力）と映像機器１０２のＤＰコネクタ３０（出力）を映像信号ケーブル２で接続している。また、映像機器１０１の主電源と映像機器１０２の主電源はともにオンである。
【００３６】
図４に示す例では、映像機器１０１のＤＰコネクタ３０（出力）のＡＵＸ＿ＣＨ（Ｐ）ピンと、映像機器１０２のＤＰコネクタ３０（出力）のＡＵＸ＿ＣＨ（Ｐ）ピンが、映像信号ケーブル２の信号線２０１を介して接続される。この場合、映像機器１０１の信号線３３と映像機器１０２の信号線３３が接続される。また、映像機器１０１と映像機器１０２においてスイッチ３２の接点とスイッチ４２の接点はともにオン（短絡）である。したがって、映像機器１０１の接続判定部１１の入力端子１１１の電圧と映像機器１０２の接続判定部１１の入力端子１１１の電圧はともに０Ｖである。また、映像機器１０１の接続判定部１１の入力端子１１２の電圧と映像機器１０２の接続判定部１１の入力端子１１２の電圧はともに３．３Ｖである。この場合、入力端子１１１の電圧が０Ｖなので（３００ｍＶではないので）、映像機器１０１の接続判定部１１は、誤接続が発生していると判定することができる。
【００３７】
次に、図５を参照して、図３を参照して説明した映像表示システム１において、映像信号ケーブル２を誤接続した場合の他の例について説明する。図５に示す例は、映像機器１０１のＤＰコネクタ４０（入力）と映像機器１０２のＤＰコネクタ４０（入力）を映像信号ケーブル２で接続している。また、映像機器１０１の主電源と映像機器１０２の主電源はともにオンである。
【００３８】
図５に示す例では、映像機器１０１のＤＰコネクタ４０（入力）のＡＵＸ＿ＣＨ（Ｐ）ピンと、映像機器１０２のＤＰコネクタ４０（入力）のＡＵＸ＿ＣＨ（Ｐ）ピンが、映像信号ケーブル２の信号線２０１を介して接続される。この場合、映像機器１０１の信号線４３と映像機器１０２の信号線４３が接続される。また、映像機器１０１と映像機器１０２においてスイッチ３２の接点とスイッチ４２の接点はともにオン（短絡）である。また、映像機器１０１のＤＰコネクタ３０（出力）のＡＵＸ＿ＣＨ（Ｐ）ピンは開放（オープン）である。したがって、映像機器１０１の接続判定部１１の入力端子１１２の電圧と映像機器１０２の接続判定部１１の入力端子１１２の電圧はともに３．３Ｖである。また、映像機器１０１の接続判定部１１の入力端子１１１の電圧と映像機器１０２の接続判定部１１の入力端子１１１の電圧はともに０Ｖである。この場合、入力端子１１１の電圧が０Ｖなので（３００ｍＶではないので）、映像機器１０１の接続判定部１１は、誤接続が発生していると判定することができる。
【００３９】
次に、図６を参照して、図３を参照して説明した映像表示システム１における誤接続の他の例について説明する。図６に示す例は、映像機器１０１のＤＰコネクタ３０（出力）と映像機器１０２のＤＰコネクタ４０（入力）を映像信号ケーブル２で正しく接続している。ただし、映像機器１０１の主電源はオンであるが、映像機器１０２の主電源はオフである。
【００４０】
図６に示す例では、映像機器１０１のＤＰコネクタ３０（出力）のＡＵＸ＿ＣＨ（Ｐ）ピンと、映像機器１０２のＤＰコネクタ４０（入力）のＡＵＸ＿ＣＨ（Ｐ）ピンが、映像信号ケーブル２の信号線２０１を介して接続される。この場合、映像機器１０１の信号線３３と映像機器１０２の信号線４３が接続される。また、映像機器１０１においてスイッチ３２（第２スイッチ）の接点とスイッチ４２（第２スイッチ）の接点はともにオン（短絡）であるが、映像機器１０２においてスイッチ３２（第１スイッチ）の接点とスイッチ４２（第１スイッチ）の接点はともにオフ（開放）である。したがって、映像機器１０１の接続判定部１１の入力端子１１１の電圧は０Ｖである。また、映像機器１０１の接続判定部１１の入力端子１１２の電圧は３．３Ｖである。この場合、入力端子１１１の電圧が０Ｖなので（３００ｍＶではないので）、映像機器１０１の接続判定部１１は、誤接続が発生していると判定することができる。
【００４１】
図６に示す例では、映像機器１０２においてスイッチ４２の接点がオフとなるので、映像機器１０２の信号線４３は３．３Ｖの電源にプルアップされない。映像機器１０２においては、主電源がオフの場合でも、例えば、制御回路用の３．３Ｖの電源がオンしていることがある。このような場合でも、本実施形態では、スイッチ３２およびスイッチ４２の接点をオフすることで、ＡＵＸ＿ＣＨ（Ｐ）ピンに接続される信号線がプルダウンまたはプルアップされることがないようにしている。このため、映像信号ケーブル２の接続が正しい場合であっても、映像機器１０２の主電源がオフしている場合、映像機器１０２の主電源オフを映像機器１０１の接続判定部１１で正しくない接続状態として検出することができる。
【００４２】
次に、図７を参照して、図３を参照して説明した映像表示システム１における誤接続の他の例について説明する。図７に示す例は、映像機器１０１のＤＰコネクタ３０（出力）と映像機器１０２のＤＰコネクタ３０（出力）を映像信号ケーブル２で接続している。また、映像機器１０１の主電源はオンであるが、映像機器１０２の主電源はオフである。
【００４３】
図７に示す例では、映像機器１０１のＤＰコネクタ３０（出力）のＡＵＸ＿ＣＨ（Ｐ）ピンと、映像機器１０２のＤＰコネクタ３０（出力）のＡＵＸ＿ＣＨ（Ｐ）ピンが、映像信号ケーブル２の信号線２０１を介して接続される。この場合、映像機器１０１の信号線３３と映像機器１０２の信号線３３が接続される。また、映像機器１０１においてスイッチ３２の接点とスイッチ４２の接点はともにオン（短絡）であるが、映像機器１０２においてスイッチ３２の接点とスイッチ４２の接点はともにオフ（開放）である。したがって、映像機器１０１の接続判定部１１の入力端子１１１の電圧は０Ｖである。また、映像機器１０１の接続判定部１１の入力端子１１２の電圧は３．３Ｖである。この場合、入力端子１１１の電圧が０Ｖなので（３００ｍＶではないので）、映像機器１０１の接続判定部１１は、誤接続が発生していると判定することができる。
【００４４】
次に、図８を参照して、図３を参照して説明した映像表示システム１における誤接続の他の例について説明する。図８に示す例は、映像機器１０１のＤＰコネクタ４０（入力）と映像機器１０２のＤＰコネクタ４０（入力）を映像信号ケーブル２で接続している。また、映像機器１０１の主電源はオンであるが、映像機器１０２の主電源はオフである。
【００４５】
図８に示す例では、映像機器１０１のＤＰコネクタ４０（入力）のＡＵＸ＿ＣＨ（Ｐ）ピンと、映像機器１０２のＤＰコネクタ４０（入力）のＡＵＸ＿ＣＨ（Ｐ）ピンが、映像信号ケーブル２の信号線２０１を介して接続される。この場合、映像機器１０１の信号線４３と映像機器１０２の信号線４３が接続される。また、映像機器１０１においてスイッチ３２の接点とスイッチ４２の接点はともにオン（短絡）であるが、映像機器１０２においてスイッチ３２の接点とスイッチ４２の接点はともにオフ（開放）である。また、映像機器１０１のＤＰコネクタ３０（出力）のＡＵＸ＿ＣＨ（Ｐ）ピンは開放（オープン）である。したがって、映像機器１０１の接続判定部１１の入力端子１１１の電圧は０Ｖである。また、映像機器１０１の接続判定部１１の入力端子１１２の電圧は３．３Ｖである。この場合、入力端子１１１の電圧が０Ｖなので（３００ｍＶではないので）、映像機器１０１の接続判定部１１は、誤接続が発生していると判定することができる。
【００４６】
次に、図９を参照して、図３を参照して説明した映像表示システム１における誤接続の他の例について説明する。図９に示す例は、映像機器１０１のＤＰコネクタ４０（入力）と映像機器１０２のＤＰコネクタ３０（出力）を映像信号ケーブル２で接続している。また、映像機器１０１の主電源はオンであるが、映像機器１０２の主電源はオフである。
【００４７】
図９に示す例では、映像機器１０１のＤＰコネクタ４０（入力）のＡＵＸ＿ＣＨ（Ｐ）ピンと、映像機器１０２のＤＰコネクタ３０（出力）のＡＵＸ＿ＣＨ（Ｐ）ピンが、映像信号ケーブル２の信号線２０１を介して接続される。この場合、映像機器１０１の信号線４３と映像機器１０２の信号線３３が接続される。また、映像機器１０１においてスイッチ３２の接点とスイッチ４２の接点はともにオン（短絡）であるが、映像機器１０２においてスイッチ３２の接点とスイッチ４２の接点はともにオフ（開放）である。また、映像機器１０１のＤＰコネクタ３０（出力）のＡＵＸ＿ＣＨ（Ｐ）ピンは開放（オープン）である。したがって、映像機器１０１の接続判定部１１の入力端子１１１の電圧は０Ｖである。また、映像機器１０１の接続判定部１１の入力端子１１２の電圧は３．３Ｖである。この場合、入力端子１１１の電圧が０Ｖなので（３００ｍＶではないので）、映像機器１０１の接続判定部１１は、誤接続が発生していると判定することができる。
【００４８】
次に、図１０を参照して、図３を参照して説明した映像表示システム１における誤接続の他の例について説明する。図１０に示す例は、映像機器１０１のＤＰコネクタ４０（入力）に映像信号ケーブル２が接続されているが、映像信号ケーブル２には接続先の映像機器１０２が接続されていない。なお、映像機器１０１の主電源はオンである。
【００４９】
図１０に示す例では、映像機器１０１のＤＰコネクタ３０（出力）のＡＵＸ＿ＣＨ（Ｐ）ピンが開放されている。また、ＤＰコネクタ４０（入力）のＡＵＸ＿ＣＨ（Ｐ）ピンに接続されている映像信号ケーブル２の信号線２０１の他端が開放されている。また、映像機器１０１においてスイッチ３２の接点とスイッチ４２の接点はともにオン（短絡）である。したがって、映像機器１０１の接続判定部１１の入力端子１１１の電圧は０Ｖである。また、映像機器１０１の接続判定部１１の入力端子１１２の電圧は３．３Ｖである。この場合、入力端子１１１の電圧が０Ｖなので（３００ｍＶではないので）、映像機器１０１の接続判定部１１は、誤接続が発生していると判定することができる。
【００５０】
次に、図１１を参照して、図３を参照して説明した映像表示システム１における誤接続の他の例について説明する。図１１に示す例は、映像機器１０１のＤＰコネクタ３０（出力）に映像信号ケーブル２が接続されているが、映像信号ケーブル２には接続先の映像機器１０２が接続されていない。なお、映像機器１０１の主電源はオンである。
【００５１】
図１１に示す例では、映像機器１０１のＤＰコネクタ３０（出力）のＡＵＸ＿ＣＨ（Ｐ）ピンに接続されている映像信号ケーブル２の信号線２０１の他端が開放されていて、ＤＰコネクタ３０（出力）のＡＵＸ＿ＣＨ（Ｐ）ピンが開放されている。また、映像機器１０１においてスイッチ３２の接点とスイッチ４２の接点はともにオン（短絡）である。したがって、映像機器１０１の接続判定部１１の入力端子１１１の電圧は０Ｖである。また、映像機器１０１の接続判定部１１の入力端子１１２の電圧は３．３Ｖである。この場合、入力端子１１１の電圧が０Ｖなので（３００ｍＶではないので）、映像機器１０１の接続判定部１１は、誤接続が発生していると判定することができる。
【００５２】
次に、図１２および図１３を参照して、図３に示す映像機器１０１の接続判定部１１による判定処理と、その接続判定部１１による判定結果の通知処理について説明する。図１２は、図３に示す映像機器１０１における接続判定部１１による判定処理と、接続判定部１１による判定結果の通知処理の流れを示すフローチャートである。図１３は、接続判定部１１による判定処理の内容を説明するための図表である。
【００５３】
図１２に示す処理は、図３に示す映像機器１０１において、例えば、映像機器１０１の主電源がオンされた後あるいは接続判定部１１が接続が異常であると判定した場合に、その後一定時間毎に実行される。例えば、図３に示す映像機器１０１において主電源がオンすると、映像機器１０１が出力側である場合、接続判定部１１が入力端子１１１の電圧に基づいて映像信号ケーブル２が正常に接続されているか否かを判定する（ステップＳ１）。あるいは、図３に示す映像機器１０１において主電源がオンすると、映像機器１０１が入力側である場合、接続判定部１１が入力端子１１２の電圧に基づいて映像信号ケーブル２が正常に接続されているか否かを判定する（ステップＳ１）。
【００５４】
ステップＳ１１において、接続判定部１１は、入力端子１１１または入力端子１１２の電圧を検知し、検知した入力端子１１１または入力端子１１２の電圧が、プルアップ電圧をプルアップ抵抗４１とプルダウン抵抗３１で分圧した電圧から、プルアップ電圧の上下限値やプルアップ抵抗およびプルダウン抵抗の抵抗値の上下限値で決まる一定の範囲内にある場合、正常接続であると判定する。あるいは、ステップＳ１１において、接続判定部１１は、入力端子１１１または入力端子１１２の電圧が、正常接続であると判定する範囲内にない場合、異常接続であると判定する。
【００５５】
そして、正常接続であると判定した場合（ステップＳ１で「正常接続」）、接続判定部１１は、例えば映像機器１０１の表示画面に表示されている接続異常通知をオフするための処理を行い（ステップＳ２）、図１２に示す処理を終了する。一方、接続異常であると判定した場合（ステップＳ１で「異常接続」）、接続判定部１１は、例えば映像機器１０１の表示画面に接続異常を示す通知を行うための処理を行い（ステップＳ３）、図１２に示す処理を終了する。接続異常を示す通知は、例えば、接続されているコネクタの確認または接続先の機器の状態の確認を促すような表示とすることができる。例えば、“接続されているポートまたは接続先の機器の状態を確認してください”などとすることができる。
【００５６】
図１３は、図３に示す映像表示システム１において、映像機器１０１の接続判定部１１による判定結果と、映像機器１０２の接続判定部１１による判定結果と、映像信号ケーブル２の接続先のＤＰコネクタと、映像機器１０１および映像機器１０２における入力端子１１１の電圧および入力端子１１２の電圧と、映像機器１０２の主電源オンまたはオフの状態との関係を示す。「ケーブル接続コネクタ」が「出力」の場合、映像信号ケーブル２がＤＰコネクタ３０（出力）に接続されていることを示す。「ケーブル接続コネクタ」が「入力」の場合、映像信号ケーブル２がＤＰコネクタ４０（入力）に接続されていることを示す。
【００５７】
図１３に示すケース（１）は、図３に示す映像機器１０１を出力側、映像機器１０２を入力側とした場合の正常接続の例に対応する。ケース（２）は、図４に示す異常接続の場合に対応する。ケース（３）は、図５に示す異常接続の場合に対応する。ケース（４）は、図６に示す異常接続の場合に対応する。ケース（５）は、図７に示す異常接続の場合に対応する。ケース（６）は、図８に示す異常接続の場合に対応する。ケース（７）は、図９に示す異常接続の場合に対応する。ケース（８）は、図１０に示す異常接続の場合に対応する。ケース（９）は、図１１に示す異常接続の場合に対応する。ケース（１０）は、図３に示す構成において、映像信号ケーブル２を、映像機器１０１のＤＰコネクタ４０（入力）と映像機器１０２のＤＰコネクタ３０（出力）との間につなぎかえた場合に対応する。すなわち、ケース（１０）は、映像機器１０１を入力側、映像機器１０２を出力側とした正常接続の場合である。
【００５８】
図１３に示すように、映像機器１０１の接続判定部１１の入力端子１１１または入力端子１１２の電圧は、いずれか一方が、正常接続時（ケース（１）またはケース（１０））に３００ｍＶとなり、正常接続ではない他のケース（２）〜（９）では３００ｍＶではない、０Ｖまたは３．３Ｖとなる。この場合、映像機器１０１の接続判定部１１の入力端子１１１の電圧は、映像機器１０１を出力側、映像機器１０２を入力側とする場合の正常接続時（ケース（１））で３００ｍＶとなり、他のケース（２）〜（１０）では０Ｖとなる。また、映像機器１０１の接続判定部１１の入力端子１１２の電圧は、映像機器１０１を入力側、映像機器１０２を出力側とする場合の正常接続時（ケース（１０））で３００ｍＶとなり、他のケース（１）〜（９）では３．３Ｖとなる。したがって、映像機器１０１が出力側、映像機器１０２が入力側である場合、映像機器１０１の接続判定部１１は、その入力端子１１１の電圧（入力端子１１１の電位とグランドの電位との電位差）に基づいて、接続状態が正常であるか否かを判定することができる。
【００５９】
また、映像機器１０１を入力側、映像機器１０２を出力側とする場合、映像機器１０１の接続判定部１１は、その入力端子１１２の電圧（入力端子１１２の電位とグランドの電位との電位差）に基づいて、接続状態が正常であるか否かを判定することができる。
【００６０】
なお、映像機器１０２においても、映像機器１０１と同様に、映像機器１０２の接続判定部１１によって映像信号ケーブル２が正常に接続されているか否かを判定することができる。この場合、図１３において、「映像機器１０１」を「映像機器１０２」に、また、「映像機器１０２」を「映像機器１０１」に読み替えればよい。
【００６１】
以上のように、本実施形態によれば、映像機器間の通信内容を確認する処理を行わなくてよく、簡易な構成で映像信号ケーブルの誤接続の有無を判定することができる。
【００６２】
また、本実施形態によれば、映像機器において、別の映像機器と映像信号ケーブルで接続される際、別の映像機器が電源オフされている状態を誤接続に含めて、接続の正誤を判定し、ユーザーに通知することができる。すなわち、接続先の映像機器に電源が供給されていない場合にもユーザーへ接続が正常でないことを通知することができる。さらに、本映像機器の接続先に機器が接続されていない場合も同様にユーザーへ通知することができる。
【００６３】
次に、図１４を参照して、上記実施形態に係る基本的構成例について説明する。図１４は、本発明の実施形態に係る基本的構成例を示すブロック図である。図１４に示す映像表示システム８は、映像機器８１と、映像機器８２と、映像機器８３とを備える。映像機器８１は、入力コネクタ８１０と、出力コネクタ８１１と、第１抵抗器８１２と、第３抵抗器８１４と、接続判定部８１６を備える。映像機器８２は、出力コネクタ８２０と、第２抵抗器８２１と、第１スイッチ８２２を備える。映像機器８３は、入力コネクタ８３０と、第４抵抗器８３１と、第２スイッチ８３２を備える。入力コネクタ８１０、出力コネクタ８１１、出力コネクタ８２０、および入力コネクタ８３０は、例えばＤＰコネクタである。
【００６４】
また、映像機器８１の入力コネクタ８１０と映像機器８２の出力コネクタ８２０が映像信号を伝送する映像信号ケーブル８４を介して正常に接続されている。映像機器８１の出力コネクタ８１１と映像機器８３の入力コネクタ８３０が映像信号を伝送する映像信号ケーブル８５を介して正常に接続されている。図１４に示す映像表示システム８では、３台の映像機器８２、映像機器８１および映像機器８３が、この順でデイジーチェーン接続されている。
【００６５】
なお、映像機器８２は、映像機器８１と同様に、入力コネクタや接続判定部を備えていてもよい。また、映像機器８３は、映像機器８１と同様に、出力コネクタや接続判定部を備えていてもよい。ただし、デイジーチェーン接続の先頭の映像機器８２では、「入力」についての接続判定は行われない。また、デイジーチェーン接続の末端の映像機器８３では、「出力」についての接続判定は行われない。また、映像機器８１は、入力コネクタ８１０と出力コネクタ８１１のいずれか一方を備えていなくてもよい。この場合、第１抵抗器８１２または第３抵抗器８１４のいずれか一方は省略される。
【００６６】
映像機器８１において、入力コネクタ８１０に接続される複数の信号線８４０の１つである第１信号線８４１が、第１電位８２３と異なる第２電位８１３に第１抵抗器８１２を介して接続されている。また、映像機器８２において、第１信号線８４１は、第２抵抗器８２１と映像機器８２の主電源がオンしている場合に閉成される第１スイッチ８２２とを介して第１電位８２３に接続されてる。
【００６７】
また、映像機器８１において、出力コネクタ８１１に接続される複数の信号線８５０の１つである第２信号線８５１が、第３電位８３３と異なる第４電位８１５に第３抵抗器８１４を介して接続されている。また、映像機器８３において、第２信号線８５１は、第４抵抗器８３１と映像機器８３の主電源がオンしている場合に閉成される第２スイッチ８３２とを介して第３電位８３３に接続されている。
【００６８】
また、接続判定部８１６は、第１信号線８４１の電位または第２信号線８５１の電位に基づき映像信号ケーブル８４または映像信号ケーブル８５が正常に接続されているか否かを判定する。接続判定部８１６は、例えば、第１信号線８４１の電位が、第１電位８２３と第２電位８１３の電位差を第１抵抗器８１２と第２抵抗器８２１の直列回路で分圧した電位に対応する場合、または、第２信号線８５１の電位が、第３電位８３３と第４電位８１５の電位差を第３抵抗器８１４と第４抵抗器８３１の直列回路で分圧した電位に対応する場合、映像信号ケーブル８４または映像信号ケーブル８５が正常に接続されていると判定し、分圧した電位に対応しない場合に映像信号ケーブルが正常に接続されていないと判定する。
【００６９】
なお、映像機器８１は、第１抵抗器８１２と第２電位８１３間の接続を閉成または開放する第３スイッチであって、映像機器８１（自機器）の主電源がオンしている場合に閉成されるもの、または、第３抵抗器８１４と前記第４電位８１５間の接続を閉成または開放する第４スイッチであって、映像機器８１の主電源がオンしている場合に閉成されるもの、をさらに備えていてもよい。第３スイッチまたは第４スイッチを設けることで、他の映像機器８２や映像機器８３で、映像機器８１の主電源がオンされていないことを検知することができる。
【００７０】
本実施形態によれば、映像機器間の通信内容を確認する等の処理を行わなくてよく、簡易な構成で映像信号ケーブルの誤接続の有無を判定することができる。また、本実施形態によれば、映像機器において、別の映像機器の電源オフされている状態を誤接続として判定することができる。
【００７１】
なお、図１４に示す構成と、図３に示す構成との対応関係は以下の通りである。すなわち、図１４に示す映像表示システム８は、図３に示す映像表示システム１に対応する。図１４に示す映像機器８２と映像機器８１は、図３に示す映像機器１０１と映像機器１０２に対応する。この場合、映像機器８２が映像機器１０１に対応し、映像機器８１が映像機器１０２に対応する。また、図１４に示す映像機器８１と映像機器８３は、図３に示す映像機器１０１と映像機器１０２に対応する。この場合、映像機器８１が映像機器１０１に対応し、映像機器８３が映像機器１０２に対応する。
【００７２】
図１４に示す映像信号ケーブル８４と映像信号ケーブル８５は、図３に示す映像信号ケーブル２に対応する。図１４に示す第１抵抗器８１２は、図３に示す映像機器１０２内のプルアップ抵抗４１に対応する。図１４に示す第２抵抗器８２１は、図３に示す映像機器１０１内のプルダウン抵抗３１に対応する。図１４に示す第１スイッチ８２２は、図３に示す映像機器１０１内のスイッチ３２に対応する。図１４に示す第３抵抗器８１４は、図３に示す映像機器１０１内のプルダウン抵抗３１に対応する。図１４に示す第４抵抗器８３１は、図３に示す映像機器１０２内のプルアップ抵抗４１に対応する。図１４に示す第２スイッチ８３２は、図３に示す映像機器１０２内のスイッチ４２に対応する。
【００７３】
また、図１４に示す第１電位８２３、第２電位８１３、第３電位８３３、および第４電位８１５は、それぞれ、図３に示すグランド電位（プルダウン電位）、３．３Ｖ（プルアップ電位）、３．３Ｖ（プルアップ電位）、およびグランド電位（プルダウン電位）に対応する。なお、第１電位８２３、第２電位８１３、第３電位８３３、および第４電位８１５は、グランド電位または電源電位（電源電圧）としてもよいし、それ以外の電位であってもよい。また、図１４に示す接続判定部８１６は、図３に示す映像機器１０１内の接続判定部１１または映像機器１０２内の接続判定部１１に対応する。また、図１４に示す第１信号線８４１は、図３に示す映像機器１０２内の信号線４３および直列接続された映像機器１０２内の信号線４３と信号線２０１と映像機器１０１内の信号線３３に対応する。また、図１４に示す第２信号線８５１は、図３に示す映像機器１０１内の信号線３３および直列接続された映像機器１０１内の信号線３３と信号線２０１と映像機器１０２内の信号線４３に対応する。
【００７４】
以上、この発明の実施形態について図面を参照して詳述してきたが、具体的な構成はこの実施形態に限られるものではなく、この発明の要旨を逸脱しない範囲の設計等も含まれる。
【符号の説明】
【００７５】
１、８  映像表示システム
２、８４、８５  映像信号ケーブル
３０、４０  ＤＰコネクタ
３１  プルダウン抵抗
３２、４２  スイッチ
３３、４３、２０１  信号線
４１  プルアップ抵抗
８１、８２、８３、１００、１０１、１０２  映像機器
１１、８１６  接続判定部
８１２  第１抵抗器
８２１  第２抵抗器
８１４  第３抵抗器
８３１  第４抵抗器
８４１  第１信号線
８５１  第２信号線
８２２  第１スイッチ
８３２  第２スイッチ
【図１】
2019049232.tif 000003
【図２】
2019049232.tif 000004
【図３】
2019049232.tif 000005
【図４】
2019049232.tif 000006
【図５】
2019049232.tif 000007
【図６】
2019049232.tif 000008
【図７】
2019049232.tif 000009
【図８】
2019049232.tif 000010
【図９】
2019049232.tif 000011
【図１０】
2019049232.tif 000012
【図１１】
2019049232.tif 000013
【図１２】
2019049232.tif 000014
【図１３】
2019049232.tif 000015
【図１４】
2019049232.tif 000016
【図１５】
2019049232.tif 000017
【図１６】
2019049232.tif 000018
【国際調査報告】
2019049232.tif 000019
2019049232.tif 000020